(57)【要約】      （修正有）【課題】微生物に対して必要な量のエネルギー源物質を簡易な方法で無駄なく供給することにより、環境汚染物質を除去して土壌浄化を行う方法を提供する。【解決手段】微生物へのエネルギー源となる電子供与体として機能する揮発性有機物３と、揮発性有機物３を浸透させ得る液体浸透部材９と、非多孔性膜２を少なくとも一部に備える密封構造の容器４とを含み、容器４内に揮発性有機物３と共に液体浸透部材９を収容して、揮発性有機物３を容器４の非多孔性膜２の部分から非多孔性膜２の分子透過性能に支配される速度で容器４の周辺の微生物に供給する微生物への電子供与体供給装置１を土壌に埋設し、電子供与体供給装置１の近傍に存在する土壌または地下水中の微生物に電子供与体を供給して当該微生物のうちの電子供与体を必要とする微生物を活性化することにより環境汚染物質を除去する。【選択図】図２
2008246269.tif 000002
【特許請求の範囲】
【請求項１】
微生物へのエネルギー源となる電子供与体として機能する揮発性有機物と、前記揮発性有機物を浸透させ得る液体浸透部材と、非多孔性膜を少なくとも一部に備える密封構造の容器とを含み、前記容器内に前記揮発性有機物と共に前記液体浸透部材を収容して、前記揮発性有機物を前記容器の前記非多孔性膜部分から前記非多孔性膜の分子透過性能に支配される速度で前記容器周辺の微生物に供給する微生物への電子供与体供給装置を除染対象土壌に埋設し、前記電子供与体供給装置の近傍に存在する前記除染対象土壌または地下水中の微生物に電子供与体を供給して前記微生物のうちの電子供与体を必要とする微生物を活性化することにより前記除染対象土壌または地下水中に存在する環境汚染物質を除去することを特徴とする土壌浄化方法。
【請求項２】
微生物へのエネルギー源となる電子供与体として機能する揮発性有機物を浸透させ得る液体浸透部材と、非多孔性膜を一部に備える密封構造の容器と、前記容器に設けられた前記揮発性有機物を補充し得る供給口とを含み、前記供給口から前記揮発性有機物を補充することにより前記液体浸透部材に前記揮発性有機物を浸透させて、前記揮発性有機物を前記容器の前記非多孔性膜部分から前記非多孔性膜の分子透過性能に支配される速度で前記容器周辺の微生物に供給する微生物への電子供与体供給装置を除染対象土壌に埋設し、前記電子供与体供給装置の近傍に存在する前記除染対象土壌または地下水中の微生物に電子供与体を供給して前記微生物のうちの電子供与体を必要とする微生物を活性化することにより前記除染対象土壌または地下水中に存在する環境汚染物質を除去することを特徴とする土壌浄化方法。
【請求項３】
前記電子供与体供給装置の前記容器の形状は前記液体浸透部材が密封された袋状である請求項１または２に記載の土壌浄化方法。
【請求項４】
前記電子供与体供給装置の前記容器は二領域に区画されると共に前記二領域に跨って前記液体浸透部材が配置されて前記二領域が連通され、前記二領域のうちの一方の領域には前記揮発性有機物が貯留されて用いられる請求項１〜３のいずれかに記載の土壌浄化方法。
【請求項５】
前記供給口には、揮発性有機物貯留タンクと連通し必要に応じて前記揮発性有機物を補充可能とする供給ノズルが装着されている請求項２〜４のいずれかに記載の土壌浄化方法。
【請求項６】
揮発性有機物を浸透させ得る液体浸透部材と、非多孔性膜とを含み、前記非多孔性膜により前記液体浸透部材が挟持された積層体の周縁部をヒートシールして前記液体浸透部材の毛管構造を閉塞し、前記非多孔性膜と前記液体浸透部材のうちのヒートシールされた周縁部に囲まれた領域に前記揮発性有機物を浸透させて、前記揮発性有機物を前記容器の前記非多孔性膜部分から前記非多孔性膜の分子透過性能に支配される速度で前記容器周辺の微生物に供給する微生物への電子供与体供給装置を除染対象土壌に埋設し、前記電子供与体供給装置の近傍に存在する前記除染対象土壌または地下水中の微生物に電子供与体を供給して前記微生物のうちの電子供与体を必要とする微生物を活性化することにより前記除染対象土壌または地下水中に存在する環境汚染物質を除去することを特徴とする土壌浄化方法。
【請求項７】
前記揮発性有機物が廃アルコールである請求項１〜６のいずれかに記載の土壌浄化方法。
【請求項８】
前記非多孔性膜はポリエチレン膜またはポリプロピレン膜である請求項１〜７のいずれかに記載の土壌浄化方法。
【請求項９】
前記非多孔性膜の表面には、前記非多孔性膜を保護する保護材が備えられている請求項１〜８のいずれかに記載の土壌浄化方法。
【請求項１０】
前記非多孔性膜の表面には、微生物を担持し得る担体が備えられている請求項１〜８のいずれかに記載の土壌浄化方法。
【請求項１１】
前記非多孔性膜の表面には、微生物を担持し得る担体が備えられ、前記担体の表面には前記非多孔性膜を保護する保護材が備えられている請求項１〜８のいずれかに記載の土壌浄化方法。
【請求項１２】
前記担体は吸水性ポリマーである請求項１０または１１に記載の土壌浄化方法。
【請求項１３】
非多孔性膜を一部に有する密封構造の容器中に酸素吸収物質を充填した酸素吸収装置を、前記電子供与体供給装置の近傍の嫌気性雰囲気を必要とする位置に埋設し、前記電子供与体供給装置の近傍に存在する微生物のうちの電子供与体を必要とする嫌気性微生物を活性化して前記除染対象土壌または地下水中に存在する前記環境汚染物質を除去することを特徴とする請求項１〜１２のいずれかに記載の土壌浄化方法。
【請求項１４】
前記除染対象土壌に酸素を送り込む酸素供給装置を、前記電子供与体供給装置の近傍に酸素が供給されない位置であって、前記酸素供給装置の近傍に存在する好気性微生物が活性化されて産生される物質が前記電子供与体供給装置の近傍の微生物に供給される位置に埋設して、前記電子供与体供給装置の近傍に存在する微生物のうちの電子供与体を必要とする微生物と、前記酸素供給装置の近傍に存在する微生物のうちの好気性微生物により前記除染対象土壌または地下水中に存在する前記環境汚染物質を除去することを特徴とする請求項1〜１２のいずれかに記載の土壌浄化方法。
【請求項１５】
前記除染対象土壌に酸素を送り込む酸素供給装置を、前記電子供与体供給装置の近傍に酸素が供給されない位置であって、かつ前記酸素供給装置の近傍に存在する好気性微生物が活性化されて産生される物質が前記電子供与体供給装置の近傍の微生物に供給される位置に埋設すると共に、非多孔性膜を一部に有する密封構造の容器中に酸素吸収物質を充填した酸素吸収装置を、前記電子供与体供給装置の近傍の嫌気性雰囲気を必要とする位置に埋設し、前記電子供与体供給装置の近傍に存在する微生物のうちの電子供与体を必要とする嫌気性微生物と、前記酸素供給装置の近傍に存在する微生物のうちの好気性微生物により前記除染対象土壌または地下水中に存在する前記環境汚染物質を除去することを特徴とする請求項１〜１２のいすれかに記載の土壌浄化方法。
【請求項１６】
前記酸素供給装置は、非多孔性膜を一部に有する密封構造の容器と、酸素を発生する酸素放出物質とを含み、前記酸素放出物質は前記容器内に充填され、前記酸素放出物質から発生する酸素を前記容器の前記非多孔性膜部分から前記非多孔性膜の酸素透過性能に支配される速度で前記容器周辺に供給するものである請求項１４または１５に記載の土壌浄化方法。
【発明の詳細な説明】
【技術分野】
【０００１】
本発明は、土壌浄化方法に関する。さらに詳述すると、本発明は、微生物を利用して除染対象土壌または地下水中に存在する環境汚染物質を除去する土壌浄化方法に関する。
【背景技術】
【０００２】
従来、土壌汚染の対策としては、土壌中の汚染物質拡散を防ぐための物理的な封じ込めを行ったり、汚染土壌を掘削除去して清浄な土壌と入れ替え当該掘削した汚染土壌を水洗したり、熱処理することにより無害化していた。しかしながら、このような物理化学的手法を用いた場合、汚染物質を無害化する過程で二次廃棄物が発生したり、費用が嵩むといった問題がある。そこで、近年、微生物の化学物質分解能力を活用したバイオリメディエーション技術が注目されている。この技術は、微生物に必要なエネルギー源を土壌に添加して、汚染現場に棲息している在来の微生物を活性化することにより汚染物質の分解を促進するものである。
【０００３】
例えば、特許文献１には、土壌に挿入された供給管の先端の供給口から、アルコール等の電子供与体（水素供与体）物質を供給して、土壌中の汚染物質を微生物により分解する技術が開示されている。
【０００４】
【特許文献１】特開２０００−１０７７４３
【発明の開示】
【発明が解決しようとする課題】
【０００５】
しかしながら、微生物へのアルコールの供給が過剰であると、微生物が消費しきれず無駄になるだけでなく、土壌にアルコールが残留して土壌汚染を引き起こしたり、過剰なアルコールにより不要な微生物（病原菌など）が増殖する虞や、土壌中の微生物生態系を破壊する虞がある。その反面、アルコールの供給量が少ないと、エネルギー源不足となって微生物を十分に活性化することができず、環境汚染物質の分解を十分に行うことができない。したがって、アルコールの供給を行う際には、その供給量が微生物の活性化に最適な量に制御される必要がある。
【０００６】
さらに、アルコール溶液が高濃度の場合、前記溶液を微生物に直接接触させると微生物が死に至ることがある。したがって、土壌中に前記溶液を供給する際には、必ず水で希釈して微生物が死なない程度の濃度に調整する必要がある。また、不純物の多い廃アルコールなどを用いた場合には、不純物が微生物毒性を有している場合があるため、微生物を死滅させる虞がある。例えば、茶の精製過程で生じる廃アルコールには、カテキンが含まれるため、これをエネルギー源として用いると、希釈して用いてもカテキンの作用により微生物を死滅させる虞がある。したがって、廃アルコールを用いる場合には不純物を除いておかなければならず、廃アルコールを未処理の状態で再利用することが事実上できなかった。
【０００７】
そこで、本発明は、微生物に対して必要な量のエネルギー源物質を簡易な方法で無駄なく供給することにより、環境汚染物質を土壌または地下水中から除去して土壌浄化を行う方法を提供することを目的とする。
【課題を解決するための手段】
【０００８】
かかる課題を解決するための本発明の土壌浄化方法は、微生物へのエネルギー源となる電子供与体として機能する揮発性有機物と、揮発性有機物を浸透させ得る液体浸透部材と、非多孔性膜を少なくとも一部に備える密封構造の容器とを含み、容器内に揮発性有機物と共に液体浸透部材を収容して、揮発性有機物を容器の非多孔性膜部分から非多孔性膜の分子透過性能に支配される速度で容器周辺の微生物に供給する微生物への電子供与体供給装置を除染対象土壌に埋設し、電子供与体供給装置の近傍に存在する除染対象土壌または地下水中の微生物に電子供与体を供給して微生物のうちの電子供与体を必要とする微生物を活性化することにより除染対象土壌または地下水中に存在する環境汚染物質を除去するようにしている。
【０００９】
また、かかる課題を解決するための本発明の土壌浄化方法は、微生物へのエネルギー源となる電子供与体として機能する揮発性有機物を浸透させ得る液体浸透部材と、非多孔性膜を一部に備える密封構造の容器と、容器に設けられた揮発性有機物を補充し得る供給口とを含み、供給口から揮発性有機物を補充することにより液体浸透部材に揮発性有機物を浸透させて、揮発性有機物を容器の非多孔性膜部分から非多孔性膜の分子透過性能に支配される速度で容器周辺の微生物に供給する微生物への電子供与体供給装置を除染対象土壌に埋設し、電子供与体供給装置の近傍に存在する除染対象土壌または地下水中の微生物に電子供与体を供給して微生物のうちの電子供与体を必要とする微生物を活性化することにより除染対象土壌または地下水中に存在する環境汚染物質を除去するようにしている。
【００１０】
本発明に用いられる微生物への電子供与体供給装置は、非多孔性膜の分子透過性能に支配される緩やかな速度で液体浸透部材に浸透している揮発性有機物を徐放することができるので、容器周辺の微生物に対し生存に影響を与えることのない濃度に希釈された状態で微生物に電子供与体として供給される。しかも、揮発性有機物の透過速度は、非多孔性膜の分子透過性能に支配されるので、この分子透過性能を決定する要素である膜材料や膜厚、膜密度などで調整することにより、微生物が必要とする量の電子供与体を緩やかに供給することができる。したがって、この電子供与体供給装置を除染対象土壌に埋設することにより、電子供与体供給装置の近傍に存在する除染対象土壌または地下水中の微生物に電子供与体を緩やかに供給して当該微生物のうちの電子供与体を必要とする微生物を活性化することにより除染対象土壌または地下水中に存在する環境汚染物質を除去することができる。
【００１１】
また、容器内に収容された液体浸透部材には、揮発性有機物が毛管現象により隅々まで均一に浸透するので、液体浸透部材と接触している非多孔性膜の面の隅々まで揮発性有機物を供給することができる。したがって、液体浸透部材と接触している非多孔性膜の面全体から揮発性有機物を均一に徐放することができる。
【００１２】
また、容器内に収容された液体浸透部材は、液体を保持すると共に液体の通路として機能する。また、スペーサーとしての役割も果たす。したがって、容器の一部あるいは全体に押圧力が掛かって潰れた場合にも、揮発性有機物の浸透経路が確保されて、液体浸透部材の隅々まで揮発性有機物が浸透するので、揮発性有機物の徐放面積を減少させることがない。
【００１３】
また、揮発性有機物を補充し得る供給口を設けることにより、容器内の揮発性有機物の減少分を補充することが可能となるので、微生物が必要とする量の電子供与体を長期に亘って緩やかに供給することが可能となる。
【００１４】
さらに、揮発性有機物を補充し得る供給口を電子供与体供給装置の容器に設けることにより、揮発性有機物を容器内に補充して、液体浸透部材に浸透させることができる。したがって、液体浸透部材に浸透している揮発性有機物の量が減少した場合には、揮発性有機物を供給口から補充するだけで、電子供与体供給装置の近傍に存在する微生物棲息環境中の微生物に電子供与体を供給し続けることができるので、電子供与体を必要とする微生物を活性化し続けて、環境汚染物質を長期に亘って除去することができる。
【００１５】
また、容器を揮発性有機物貯留タンクと連通し、必要に応じて揮発性有機物を補充可能とする供給ノズルを備えることが好ましい。この場合には、タンク内に揮発性有機物の原液を貯留しておけば、袋内に収容された液体浸透部材に浸透している揮発性有機物が減少した場合に、揮発性有機物をタンクと容器内部の圧力差により補充できる。
【００１６】
本発明に用いられる微生物への電子供与体供給装置を土壌に埋設すると、土の重みにより容器に押圧力が掛かって潰れてしまう虞があるが、容器内に収容されている液体浸透部材により、容器が潰れても揮発性有機物の浸透経路は確保される。したがって、土壌に電子供与体供給装置を埋設しても、揮発性有機物の徐放均一性が失われることなく、電子供与体を必要とする微生物を活性化して環境汚染物質を効率よく除去することができる。
【００１７】
また、本発明に用いられる電子供与体供給装置の容器は、予めその形状を加工しておいてもよい。例えば、二領域に区画されると共に二領域に跨って液体浸透部材が配置されて二領域が連通され、二領域のうちの一方の領域には揮発性有機物が貯留されて用いられるように加工してもよい。
【００１８】
次に、本発明の土壌浄化方法は、揮発性有機物を浸透させ得る液体浸透部材と、非多孔性膜とを含み、非多孔性膜により液体浸透部材が挟持された積層体の周縁部をヒートシールして液体浸透部材の毛管構造を閉塞し、非多孔性膜と液体浸透部材のうちのヒートシールされた周縁部に囲まれた領域に揮発性有機物を浸透させて、揮発性有機物を容器の非多孔性膜部分から非多孔性膜の分子透過性能に支配される速度で容器周辺の微生物に供給する微生物への電子供与体供給装置を除染対象土壌に埋設し、電子供与体供給装置の近傍に存在する除染対象土壌または地下水中の微生物に電子供与体を供給して微生物のうちの電子供与体を必要とする微生物を活性化することにより除染対象土壌または地下水中に存在する環境汚染物質を除去するようにしている。
【００１９】
この場合に用いられる微生物への電子供与体供給装置は、ヒートシールされた積層体の周縁部においては、液体浸透部材の毛管構造が閉塞され、少なくとも積層体の周縁部では液体浸透部材と非多孔性膜が溶着しているので、揮発性有機物が浸透する領域が密閉された状態となっている。したがって、上記した微生物への電子供与体供給装置と同様、非多孔性膜の分子透過性能に支配される緩やかな速度で液体浸透部材に浸透している揮発性有機物を徐放することができるので、容器周辺の微生物に対し生存に影響を与えることのない濃度に希釈された状態で微生物に電子供与体として供給される。しかも、揮発性有機物の透過速度は、非多孔性膜の分子透過性能に支配されるので、この分子透過性能を膜厚や膜密度などで制御することにより、微生物が必要とする量の電子供与体を緩やかに供給することができる。したがって、この電子供与体供給装置を土壌に埋設することにより、電子供与体供給装置の近傍に存在する土壌または地下水中の微生物に電子供与体を緩やかに供給して当該微生物のうちの電子供与体を必要とする微生物を活性化することにより環境汚染物質を除去することができる。
【００２０】
ここで、本発明において用いられる揮発性有機物としてはメタノール、エタノール、プロパノール、ベンゼン、トルエン、フェノール等が適宜用いられるが、廃アルコールの使用も可能である。非多孔性膜は「分子ふるい」のような役割を持っており、透過させようとする分子の分子量が大きくなるにつれて、その分子を透過し難くなる。したがって、揮発性有機物の中に不純物例えばカテキンやシアン化合物のように微生物に対して毒性を呈する抗菌性の分子が混入していても、分子サイズの大きなカテキンや極性の大きなシアン化合物は透過し難く、微生物にとって無害な揮発性有機物を主成分として透過させることが可能になる。
【００２１】
また、本発明において用いられる非多孔性膜としては、例えばポリエチレン、ポリプロピレン、ポリエステル、ナイロン、ポリ塩化ビニリデン、ポリビニルアルコール、ポリカーボネート、ビニロンなどのプラスチックフィルムの他に、ポリエチレン系、エチレンアクリル酸共重合体、ポリエチレンテレフタレート混合物系などの気液系膜が使用可能であるが、安価で耐久性や耐薬品性に優れたポリエチレンやポリプロピレンの使用、特に、分子を透過しやすい低密度ポリエチレンが好ましい。勿論、これら素材に限定されるものではない。
【００２２】
ここで、非多孔性膜の表面には、非多孔性膜を保護する保護材が備えられていることが好ましい。保護材としては、例えば、ナイロンネットや不織布等を用いることができるがこれらに限られるものではない。そして、保護材により非多孔性膜の一部あるいは全面を覆うことで、非多孔性膜を外部衝撃から保護して、電子供与体供給装置の容器あるいは積層体の破損を防ぐことができる。
【００２３】
また、非多孔性膜の表面には、微生物を担持し得る担体を備えられていることが好ましい。微生物を担持し得る担体を非多孔性膜の一部あるいは全面に備えることで、土壌中に埋設した際に、土壌または地下水中に存在する微生物が担持される。そして、そのうちの電子供与体を必要とする微生物を活性化することにより環境汚染物質を除去することができる。したがって、土壌中を流れる地下水の流れが一時的に速くなる場合、例えば大雨により土壌に大量の水分が浸透して地下水の流れが速くなった場合にも、土壌または地下水中の微生物を担体に担持させ続けて、環境汚染物質の除去能を保持し続けることが可能である。
【００２４】
尚、保護材と担体の双方を非多孔性膜の表面に設けてもよい。例えば、非多孔性膜の表面に微生物を固定し得る担体を設け、さらにその上に保護材を設けるようにしても良い。
【００２５】
ここで、微生物を固定し得る担体は吸水性ポリマーとすることが好ましい。吸水性ポリマーを用いた場合には、担体の保水力、吸水力が高まるため、土壌中の水分を効率良く吸収し、保水することによって環境汚染物質を長期間除去し続けることが可能となる。また、土壌中の水分が一時的に減少した場合にも、吸水性ポリマーの保水力により乾燥を防いで、微生物の死滅を防ぐことができる。
【００２６】
次に、本発明の土壌浄化方法は、非多孔性膜を一部に有する密封構造の容器中に酸素吸収物質を充填した酸素吸収装置を、電子供与体供給装置の近傍の嫌気性雰囲気を必要とする位置に埋設し、電子供与体供給装置の近傍に存在する微生物のうちの電子供与体を必要とする嫌気性微生物を活性化して除染対象土壌または地下水中に存在する環境汚染物質を除去するようにしている。
【００２７】
したがって、好気性雰囲気になりやすい地表付近や、酸素を多く含む地下水が常時流れ込むあるいは浸透してくる場所に嫌気性雰囲気を形成して、電子供与体を必要とする嫌気性微生物を活性化することにより、環境汚染物質を除去することが可能となる。
【００２８】
また、本発明の土壌浄化方法は、除染対象土壌に酸素を送り込む酸素供給装置を、電子供与体供給装置の近傍に酸素が供給されない位置であって、酸素供給装置の近傍に存在する好気性微生物が活性化されて産生される物質が電子供与体供給装置の近傍の微生物に供給される位置に埋設して、電子供与体供給装置の近傍に存在する微生物のうちの電子供与体を必要とする微生物と、酸素供給装置の近傍に存在する微生物のうちの好気性微生物により除染対象土壌または地下水中に存在する環境汚染物質を除去するようにしている。
【００２９】
したがって、好気性微生物による環境汚染物質除去能と、電子供与体を必要とする嫌気性微生物の環境汚染物質除去能を利用した環境汚染物質を除去する系を除染対象土壌に形成することができる。
【００３０】
さらに、本発明の土壌浄化方法は、除染対象土壌に酸素を送り込む酸素供給装置を、電子供与体供給装置の近傍に酸素が供給されない位置であって、酸素供給装置の近傍に存在する好気性微生物が活性化されて産生される物質が電子供与体供給装置の近傍の微生物に供給される位置に埋設すると共に、非多孔性膜を一部に有する密封構造の容器中に酸素吸収物質を充填した酸素吸収装置を、電子供与体供給装置の近傍の嫌気性雰囲気を必要とする位置に埋設し、電子供与体供給装置の近傍に存在する微生物のうちの電子供与体を必要とする嫌気性微生物と、酸素供給装置の近傍に存在する微生物のうちの好気性微生物により除染対象土壌または地下水中に存在する環境汚染物質を除去するようにしている。
【００３１】
したがって、好気性微生物による環境汚染物質除去能と、電子供与体を必要とする嫌気性微生物の環境汚染物質除去能を利用した環境汚染物質を除去する系を除染対象土壌に形成することができる。しかも、電子供与体供給装置の近傍には、酸素吸収装置を埋設しているので、好気性雰囲気になりやすい地表付近や、酸素を多く含む水が常時流れ込むあるいは浸透してくる場所に嫌気性雰囲気を形成して、電子供与体を必要とする嫌気性微生物を活性化することにより、環境汚染物質を除去することが可能となる。
【００３２】
ここで、本発明に用いられる酸素供給装置は、非多孔性膜を一部に有する密封構造の容器と、酸素を発生する酸素放出物質とを含み、酸素放出物質は容器内に充填され、酸素放出物質から発生する酸素を容器の非多孔性膜部分から非多孔性膜の酸素透過性能に支配される速度で容器周辺に供給するものである。
【００３３】
したがって、容器の内部に充填されている酸素放出物質から発生した酸素を容器の非多孔性膜部分から非多孔性膜の酸素透過性能に支配される速度で容器周辺に供給することができるので、長期間安定した好気環境を形成して好気性微生物を活性化させることができる。  
【発明の効果】
【００３４】
本発明の土壌浄化方法によれば、電子供与体供給装置の近傍に存在する除染対象土壌または地下水中の微生物に電子供与体を非多孔性膜の分子透過性能に支配される速度で容器周辺の微生物に供給して当該微生物のうちの電子供与体を必要とする微生物を選択的に活性化して環境汚染物質を除去することができる。したがって、土壌中に存在している環境汚染物質を除去することができる。例えば、土壌または地下水中に棲息している脱窒菌に電子供与体を与えて活性化することにより、土壌中の硝酸イオンや亜硝酸イオンを無害な窒素ガスに変換して除去することができる。
【００３５】
また、本発明の土壌浄化方法に用いる微生物への電子供与体供給装置は、微生物のエネルギー源となる電子供与体として機能する揮発性有機物と、揮発性有機物を浸透させ得る液体浸透部材とを非多孔性膜を一部に備える密封構造の容器内に収容しているので、揮発性有機物を非多孔性膜の分子透過性能に支配される速度で容器周辺の微生物に供給することが可能である。したがって、揮発性有機物供給量を一定量に維持するための設備を備えことなく、電子供与体を必要とする揮発性有機物の供給量を非多孔性膜の性質や膜厚、膜密度等により制御することで、環境を汚染することなく簡易に環境を浄化することができる上に、そのコストを大幅に低減することができる。
【００３６】
また、本発明の土壌浄化方法に用いる微生物への電子供与体供給装置は、揮発性有機物が毛管現象により液体浸透部材の全面に均一に拡散しているので、揮発性有機物を非多孔性膜から均一な濃度で徐放させ易い。したがって、容器全体が非多孔性膜で構成され、容器内の全領域を占めるようにして液体浸透部材を配置させて収容した場合には、容器の大きさに対する揮発性有機物の徐放面を最大化できると共に揮発性有機物を非多孔性膜の全面から均一に広い範囲で緩やかに放出させ得るので、土壌または地下水中の微生物のうちの電子供与体を必要とする微生物を容器の大きさに対して最大限に活性化して、環境汚染物質の除去効率を上昇させることができる。また、液体浸透部材は芯材としても機能するので、液体浸透部材を容器内に収容することにより、電子供与体供給装置の容器の強度を向上させて、土壌中での容器の劣化・損傷を防ぐことできる。
【００３７】
また、本発明の土壌浄化方法に用いる微生物への電子供与体供給装置は、容器内に液体浸透部材を収容しているので、容器に押圧力が掛かって潰れても、揮発性有機物の浸透経路は確保されて、容器の非多孔性膜部分から揮発性有機物を均一に徐放させることができる。したがって、押圧力が掛かる除染対象土壌で用いる場合にも、容器の非多孔性膜部分から揮発性有機物を均一に徐放させて、電子供与体を必要とする微生物を広範囲に活性化することにより、環境汚染物質の除去を効率よく行うことが可能である。
【００３８】
さらに、本発明の土壌浄化方法に用いる微生物への電子供与体供給装置は、揮発性有機物を補充し得る開閉可能な供給口が設けられているので、容器内の揮発性有機物の減少分を補充することが可能である。したがって、微生物が必要とする量の電子供与体を長期に亘って緩やかに供給することが可能となるので、土壌または地下水中の微生物のうちの電子供与体を必要とする微生物を長期に亘って活性化することにより、環境汚染物質の除去を効率よく長期間行うことが可能である。
【００３９】
さらに、本発明の土壌浄化方法に用いる微生物への電子供与体供給装置は、揮発性有機物を原液のまま液体浸透部材に浸透させて用いても、その分子が少しずつ非多孔性膜を透過するので、微生物に対して電子供与体を緩やかに供給することができる。したがって、従来のように微生物が死滅しない程度に揮発性有機物を水で希釈する工程を省略して手間を省くことができると共に、同じ容積の液量で長時間揮発性有機物を供給することが可能となる。また、この容器に対して揮発性有機物を補給するための貯蔵タンクが存在する場合にも希釈しない原液状態での貯蔵を可能とするためタンク容量を小さくできる。
【００４０】
また、本発明の土壌浄化方法に用いる微生物への電子供与体供給装置の容器を構成する非多孔性膜は分子ふるいとして機能するため、透過させようとする分子の分子量が大きくなるにつれて、その分子を透過し難くなる。また、分子の極性などの性質によってもその透過性が大きく変化する。したがって、揮発性有機物の中に不純物例えばカテキンやシアン化合物のように微生物に対して毒性を呈する抗菌性の分子が混入していても、分子量の大きなカテキンや極性の高いシアン化合物などは透過し難く、微生物にとって無害な揮発性有機物が主成分として透過して容器外に徐放され、不純物のほとんどが容器内に残留する。したがって、廃アルコールのように、不純物を含んでいる揮発性有機物を用いることができる。廃アルコールの再利用は、廃棄物の量を減らすことができて環境にとって好ましいと共に廃棄物の有用化を可能としてエネルギー源のコストを下げることができる。例えば、現在、蒸留、精製等の過程を経て再生されている廃アルコールを、これらの処理を行うことなくそのまま用いることができ、大幅なコストダウンを実現できる。より具体的には、食品、医薬品製造工程などで生じる廃アルコールを、微生物毒性を持つ物質（カテキンやシアン化合物など）を蒸留などの除去工程を経ることなく、微生物のエネルギー源として有効利用できる。
【００４１】
さらに、本発明の土壌浄化方法に用いる微生物への電子供与体供給装置は、非多孔性膜から成る袋状の容器に収容した液体浸透部材に揮発性有機物を浸透させているので、揮発性有機物が液体浸透部材に浸透している間は自律的に緩やかに一定速度で揮発性有機物が供給される。したがって、メンテナンスを必要とせず、装置構成を簡素化することが可能である。また、液体浸透部材に浸透している揮発性有機物を消費し尽くしたときには、揮発性有機物が密封された新しい袋状の容器と交換するだけで良い。使用済みの袋状の容器は、リサイクルに供することで、再資源化が可能である。
【００４２】
また、本発明の土壌浄化方法に用いる微生物への電子供与体供給装置の容器を構成する非多孔性膜の表面に保護材、例えばナイロンネットや不織布を備えることで、摩擦などの外部衝撃から保護することができる。
【００４３】
また、本発明の土壌浄化方法に用いる微生物への電子供与体供給装置の容器を構成する非多孔性膜の表面に、微生物を担持し得る担体を備えることで、電子供与体供給装置を除染対象土壌に埋設した際に、除染対象土壌または地下水に存在する微生物が担持される。したがって、除染対象土壌の地下水の流れが一時的に速くなる場合、例えば大雨により土壌に大量の水分が浸透して地下水の流れが速くなった場合にも、除染対象土壌または地下水中の微生物を担体に担持させ続けて、環境汚染物質の除去能を保持し続けることが可能である。
【００４４】
また、本発明の土壌浄化方法によれば、非多孔性膜を一部に有する密封構造の容器中に酸素吸収物質を充填した酸素吸収装置を、電子供与体供給装置の近傍の嫌気性雰囲気を必要とする位置に埋設するようにしているので、電子供与体供給装置が埋設されている環境が好気雰囲気になりやすい地表付近などの場合であっても、嫌気性微生物を好ましい環境下で活性化して、環境汚染物質の除去を行うことができる。例えば、地表付近の脱窒菌を活性化して、硝酸イオンや亜硝酸イオンを無害な窒素ガスに変換して除去することができる。
【００４５】
さらに、本発明の土壌浄化方法によれば、除染対象土壌に酸素を送り込む酸素供給装置を、電子供与体供給装置の近傍に酸素が供給されない位置であって、酸素供給装置の近傍に存在する好気性微生物が活性化されて産生される物質が電子供与体供給装置の近傍の微生物に供給される位置に埋設しているので、好気性微生物による環境汚染物質除去能と、電子供与体を必要とする嫌気性微生物の環境汚染物質除去能を利用した環境汚染物質を除去する系を除染対象土壌に形成することができる。例えば、土壌に埋設した酸素供給装置近傍に存在するアンモニア酸化菌を活性化してアンモニアを亜硝酸イオンに酸化すると共に、亜硝酸酸化菌を活性化して亜硝酸イオンを硝酸イオンに酸化し、土壌に埋設した電子供与体供給装置近傍に存在する脱窒菌を活性化して地中に存在する硝酸イオンや亜硝酸イオン、アンモニア酸化菌や亜硝酸酸化菌により産生された硝酸イオンや亜硝酸イオンを無害な窒素ガスに変換して除去することができる。
【００４６】
また、本発明に用いられる酸素供給装置によれば、容器の内部に充填されている酸素放出物質から発生した酸素を容器の非多孔性膜部分から非多孔性膜の酸素透過性能に支配される速度で容器周辺に供給することができるので、長期間安定した好気環境を形成して好気性微生物を活性化させることができる。  
【発明を実施するための最良の形態】
【００４７】
以下、本発明の構成を図面に示す実施の形態に基づいて詳細に説明する。
【００４８】
まず、本発明の土壌浄化方法に用いる微生物への電子供与体供給装置について詳細に説明する。図１に示す電子供与体供給装置１は、微生物へのエネルギー源となる電子供与体として機能する揮発性有機物３と、揮発性有機物を浸透させ得る液体浸透部材９と、非多孔性膜を少なくとも一部に備える密封構造の容器４とを含み、容器４内には揮発性有機物３と共に液体浸透部材９が収容されて、揮発性有機物３を容器４の非多孔性膜２の部分から非多孔性膜２の分子透過性能に支配される速度で容器４の周辺の微生物に供給するものである。本実施形態では、容器４は全体が非多孔性膜２で構成される袋状を成し、周縁をヒートシールなどで溶着して、揮発性有機物３を浸透させたシート状の液体浸透部材９を非多孔性膜２でラミネートした形態としているが、形態や構造は特に限定されない。例えば、容器４をチューブ状やシート状としてもよいし、図２に示すように、チューブの先端を硬い部材で尖らせて形成し、土壌に差し込んで使用するようにしてもよい。また、袋状の容器（単に袋と呼ぶこともある）４は、全体を非多孔性膜で構成するものに特に限られず、一部例えば片面だけを非多孔性膜で構成したり、１つの面のさらに一部分を非多孔性膜で構成するようにしても良い。この際、他面あるいは残部を揮発性有機物を透過しない膜で構成することも可能である。このように構成することで、容器の所望の部分から揮発性有機物を徐放させることが可能である。
【００４９】
微生物へのエネルギー源となる電子供与体として機能する揮発性有機物３としては、微生物に対して毒性を呈さない物質であって、非多孔性膜２を腐食しない性質を持ち、かつ非多孔性膜２を透過できる分子量、性質を有するものが適宜選択される。例示すると、メタノール、エタノール、プロパノール等が挙げられる。尚、微生物によってはベンゼン、トルエン、フェノールなども利用可能であるが、これらに限定されるものではない。
【００５０】
ここで、揮発性有機物３は、原液のままで用いることができる。従来であれば、メタノールやエタノール等のアルコールを微生物のエネルギー源として用いる場合には、微生物が死なない程度の濃度に水で希釈する必要があったが、本発明によれば、揮発性有機物は微生物へ緩やかに供給されるため、揮発性有機物の原液を用いても、微生物が死に至ることはない。尚、必ずしも揮発性有機物の原液を用いる必要はなく、揮発性有機物の原液を水で希釈して用いた場合や、不純物が混在しているような場合であっても、揮発性有機物分子が非多孔性膜を透過して微生物に緩やかに供給される。したがって、揮発性有機物に不純物例えばカテキンやシアン化合物のように微生物に対して毒性を呈する抗菌性の分子が混入していても、分子量の大きなカテキンや極性の大きなシアン化合物は透過し難く、微生物にとって無害な揮発性有機物を主成分として透過させて容器外に徐放させることが可能となり、不純物は容器内にほとんど残留する。したがって、廃アルコールのように、不純物を含んでいる揮発性有機物を用いることができる。
【００５１】
揮発性有機物３を浸透させ得る液体浸透部材９としては、揮発性有機物３を毛管現象により均一に拡散させることができる部材であればよい。例示すると、多孔質体、繊維状物質、粉体などが挙げられる。より具体的には、例えば多孔質体であれば、金属多孔質体であっても、セラミックス多孔質体であってもよいし、可撓性のプラスチック多孔質体などを用いてもよい。つまり、剛性の高い金属やセラミックスなどの部材を用いれば、容器４が変形し難くなるし、可撓性の部材を用いれば、容器４を可撓性として、変形し易くすることができる。また、繊維状物質としては、濾紙等の紙、不織布、その他発泡体などが挙げられる。さらに、粉体としては容器４に充填して揮発性有機物３を浸透し得るものであればよい。また、ポリエチレンフォーム、ポリウレタンフォーム、塩化ビニールスポンジ、天然ゴムスポンジ、シリコンゴムスポンジ、セルローススポンジなどを用いることもできる。尚、液体浸透部材９はここで例示したものに限られるものではない。ここで、揮発性有機物３は液体浸透部材９を介して供給されるので、液体浸透部材９は、容器４の非多孔性膜２で構成される徐放面全体に揮発性有機物３を供給できる大きさにすることが好ましい。この場合には、非多孔性膜２の全面に揮発性有機物３が供給されて、非多孔性膜２を透過して均一に徐放される。図１に示すように、容器４を全体が非多孔性膜２で構成される袋状として、袋の内部全体に揮発性有機物３を浸透させたシート状の液体浸透部材９を収容して密封することで、非多孔性膜２の全面、つまり容器４の全体から揮発性有機物３を均一に徐放することができる。この場合、容器の大きさに占める揮発性有機物の徐放面が最大化できる。
【００５２】
液体浸透部材９の厚さについては、厚くすれば揮発性有機物３の浸透容量を増加させることができるが、容器の厚さは厚くなる。逆に、液体浸透部材９の厚さを薄くすれば揮発性有機物３の浸透容量は減少するものの、容器の厚さは薄くできる。したがって、これらのバランスにより、容器４の厚さが所望の厚さとなるよう液体浸透部材９の厚さを調整すればよい。尚、液体浸透部材９の形状は図１に示すような四角形である必要は無く、例えば櫛状にして、櫛の歯の部分以外で非多孔性膜どうしを溶着したり、適度に孔を設けて、孔の部分で非多孔性膜どうしを溶着してラミネートされた状態とすることで、液体浸透部材の全面と非多孔性膜を接触させるようにしてもよい。この場合には、揮発性有機物３のガス化を抑えて容器４の膨らみを防止することができる。また、液体浸透部材が芯材として機能するので、容器の強度を向上させる効果がある。
【００５３】
非多孔性膜２は、揮発性有機物３の分子を少しずつ透過させることによって徐放するものである。非多孔性膜２の材料としては、例えばポリエチレン、ポリプロピレン、ポリエステル、ナイロン、ポリ塩化ビニリデン、ポリビニルアルコール、ポリカーボネート、ビニロンなどのプラスチックフィルムの他に、ポリエチレン系、エチレンアクリル酸共重合体、ポリエチレンテレフタレート混合物系などの気液系膜が使用可能なものの例として挙げられるが、安価で入手し易く、耐久性や耐薬品性に優れたポリエチレンやポリプロピレンの使用が好ましい。ポリエチレンやポリプロピレンは、水を透過し難く、適度な物質の透過性、熱可逆性を有しており、柔軟で成形が容易であるという利点を有している。また、様々な物質に対して安定である。勿論、ポリエチレンやポリプロピレンを含めて上述したものに特に限定されるものではない。この非多孔性膜２は、膜材料、膜厚、該膜の表面積、揮発性有機物３の分子量や性質、温度及び外圧等により、透過する揮発性有機物３の分子の量を制御することが可能である。本発明者等のポリエチレン膜に対する実験によると、同じ膜材料の場合には膜厚によって分子透過量が変化することが確認されている。そこで、微生物に対して必要な揮発性有機物の供給量に応じて、適宜膜厚などを選定することによって、必要な速度で必要な量の揮発性有機物３を供給することができる。このとき、揮発性有機物３は、非多孔性膜２の透過性能に支配される緩やかな速度で漏れ出るので、容器周辺の微生物に対し生存に影響を与えることのない濃度に希釈された状態で微生物に供給される。
【００５４】
ここで、非多孔性膜２は、膜の密度によっても分子透過量が変化する。ポリエチレンを例に挙げて説明すると、ＪＩＳ K６９２２−２により分類される低密度ポリエチレン（密度９１０ｋｇ／ｍ３以上、９３０ｋｇ／ｍ３未満）を用いた場合、微生物に対して十分な量の揮発性有機物３が膜外に透過するが、高密度ポリエチレン（密度９４２ｋｇ／ｍ３以上）を用いた場合には、揮発性有機物３の膜外への透過量が減少する。したがって、所望の揮発性有機物供給量に応じて、非多孔性膜２の膜厚と膜密度のバランスにより、微生物への揮発性有機物供給量を制御すればよい。ここで、膜密度は、例えば延伸処理により可変することができるので、当該処理により所望の膜材料の膜密度を可変し、揮発性有機物供給量を制御することが可能である。
【００５５】
揮発性有機物３の非多孔性膜２の透過は、揮発性有機物分子が膜に溶け込み、その溶け込んだ分子が膜内部を拡散して反対側に達することにより起こる。したがって、膜への溶け込みが起こらない程大きなサイズの分子であるカテキンや極性の高いシアン化合物などは非多孔性膜を透過しにくい。また、ポリエチレンやポリプロピレン等は水となじむ官能基が存在しない疎水性の強い膜であると共に低極性であるため、極性分子である水が膜に溶け込みにくい。また、水分子同士の水素結合が強いため、常温では水が当該膜を透過することはほとんど無い。したがって、非多孔性膜２は、水や分子量の大きなカテキン、極性の高いシアン化合物等の不純物はほとんど透過させずに、所望の揮発性有機物を主成分として透過させる「分子ふるい」として機能する。また、揮発性有機物３は、分子状態、つまり、液体のように分子間の引力により凝集することのないガス（気体）の状態で非多孔性膜２を透過して徐放される。したがって、非多孔性膜２はガス透過性膜とも表現できる。
【００５６】
また、非多孔性膜は、上述したように揮発性有機物が膜に溶け込むことにより透過させており、多孔質膜のように孔の大きさや数で揮発性有機物の種類や量を制御するものではない。したがって、長期間の使用による孔の閉塞の問題も生じることが無く、定期的な逆洗浄の必要もない。したがって長期間メンテナンスを行うことなく使用でき、ランニングコストを低減できる。
【００５７】
また、非多孔性膜２の表面の性質は使用される揮発性有機物３の性質によって決定するのがよい。例えば、非多孔性膜２の表面を疎水性とすれば、炭素鎖のような疎水基を有する分子を透過しやすくなる。一方、非多孔性膜２の表面を親水性とすれば、親水基を有する分子を透過しやすくなる。よって、使用する揮発性有機物３の性質に合わせて、非多孔性膜２表面の性質を決定すればよい。また、膜内部に極性を与えることで膜を構成する分子鎖どうしの結合を強めて分子鎖間の空隙を小さくし、分子透過性能の制御を行うことが可能である。例えば、ポリ塩化ビニリデンのようにポリエチレンの水素の一部が塩素で置換された極性分子により構成された膜は、ポリエチレンと比較して分子鎖間の空隙が小さく、分子透過性能が低くなる。さらに、疎水性膜と親水性膜を貼り合わせて、両方の性質を与える膜として、揮発性有機物の透過性を制御することもできる。
【００５８】
ここで、液体浸透部材９の容器４内への収容状態について説明する。図１に示す微生物への電子供与体供給装置１においては、液体浸透部材９が非多孔性膜２によってラミネートされた状態となっており、揮発性有機物３を含む液体浸透部材９と非多孔性膜２とが接触している。この場合、液体浸透部材９の全面に均一に拡散している揮発性有機物３を非多孔性膜２の全面から均一且つ緩やかに容器周辺の微生物に供給することができる上に、容器４の厚さを液体浸透部材９の厚さ程度まで薄くすることができ、容器４が非常にコンパクトなものとなる。また、容器４に押圧力が掛かることで、液体浸透部材ににも押圧力が掛かって潰れるので、液体浸透部材９の厚さよりもさらに薄くなる場合もある。このように、押圧力が掛かって液体浸透部材が潰れた場合でも、揮発性有機物の浸透経路が確保されて、液体浸透部材の隅々まで揮発性有機物が浸透するので、土壌に埋設して土の重みが掛かった場合にも、揮発性有機物の徐放面積が減少することはない。
【００５９】
尚、液体浸透部材９の容器４内への収容状態は、図１に示す形態に限定されるものではない。例えば、図３に示すように、液体浸透部材９に浸透させることのできる量以上の揮発性有機物３ａ（以下、余剰揮発性有機物と呼ぶこともある。）を容器内に併存させて、液体浸透部材９の全面に非多孔性膜２が接触しない状態で収容してもよい。この場合には、余剰揮発性有機物３ａがガス化して容器４内に拡散し、容器４の膨らみが発生してしまうが、容器４内に含まれる揮発性有機物の総量は図１に示す形態のように液体浸透部材９が非多孔性膜２によってラミネートされた状態となっている場合よりも多いので、揮発性有機物３の徐放の長期化を図ることができる。
【００６０】
また、電子供与体供給装置１の容器４内に収容された液体浸透部材９は、液体を保持すると共に液体の通路として機能する。また、スペーサーとしての役割も果たす。したがって、土壌等に埋設して土の重みにより押圧力が掛かった場合であっても、揮発性有機物の徐放機能が阻害されない。
【００６１】
以上のように構成された電子供与体供給装置１は、電子供与体の供給が必要な土壌または地下水中の微生物の近くに埋設するだけで、容器４内から非多孔性膜２を分子ふるいとして透過する揮発性有機物の分子が自律的に一定速度で緩やかに徐放され、微生物に供給される。このとき、容器４から透過する揮発性有機物の量は、非多孔性膜の材料や膜厚、膜密度などの選択によって、必要とする揮発性有機物量となるように制御されているので、微生物の生存に影響を与えることのない濃度に希釈された状態で微生物に揮発性有機物として供給される。また、土壌に埋設して用いる場合であっても、容器内には液体浸透部材を収容しているので、容器が土の重みにより押し潰されても、揮発性有機物の浸透経路は液体浸透部材に確保されて、揮発性有機物が全面に均一に浸透している状態を保持することができ、非多孔性膜の全面から均一に揮発性有機物を徐放させて微生物に供給することが可能である。
【００６２】
次に、図４並び図５に他の実施形態を示す。この実施形態の微生物への電子供与体供給装置は、非多孔性膜２からなる容器４を完全密封された独立したものとはせずに、揮発性有機物３を導入する手段を有する密封状の袋状とした容器とし、揮発性有機物３を外部から補充可能としたものである。
【００６３】
揮発性有機物３を導入する手段は、図４に示すように容器４の縁の一部に揮発性有機物３を注入する供給口５を設けて、さらに図５に示すようにノズルないしパイプ７を装着する構造でも良いし、容器４と一体となったノズルないしパイプ７のようなものでも良い。図５に示す微生物への電子供与体供給装置１は、容器４の縁に設けられた供給口５に装着された供給ノズル７あるいは容器４と一体となった供給ノズル７と、揮発性有機物３を貯留するタンク６とをチューブ８などで連結し、必要に応じて揮発性有機物３を補充可能としている。この場合、タンク６と容器４とはチューブ８を介して連通されているので、タンク６内に揮発性有機物の原液３’を貯蔵しておけば、容器４内に収容されている液体浸透部材９に浸透している揮発性有機物３が減少してきたときに、揮発性有機物３’をタンクと容器４内部との圧力差により補充でき、液体浸透部材３を介して、容器４の全面に供給することができる。尚、容器４は供給口５あるいはノズル７を設けているので厳密な意味での密封構造ではないが、供給ノズル７内がタンクから供給される揮発性有機物３’で満たされている状態では、液面がシールとなって容器内は事実上密封状態にある。このため、容器４内に収容されている液体浸透部材９に浸透している揮発性有機物３が供給口５やノズル７を通って容器４外に漏れ出ることはない。
【００６４】
ここで、図４及び図５においては、液体浸透部材９の容器４内への収容状態は、前記と同様に液体浸透部材９が非多孔性膜２によってラミネートされた状態となっている。この場合、液体浸透部材９の全面に均一に拡散している揮発性有機物３を非多孔性膜２の全面から均一且つ緩やかに容器周辺の微生物に供給することができる上に、容器４の厚さを液体浸透部材９の厚さ程度まで薄くすることができ、容器４が非常にコンパクトなものとなる。
【００６５】
尚、液体浸透部材９の容器４内への収容状態は、前記の形態に限定されるものではなく、液体浸透部材９と非多孔性膜２の間に隙間を設けるようにして液体浸透部材９を収容するようにしてもよい。
【００６６】
ここで、容器４を図６に示した形態に予め加工することもできる。即ち、容器上部４ｂと下部４ａに区画すると共に上部４ｂと下部４ａとを液体浸透部材９により連通し、上部４ｂに揮発性有機物３を貯留するように加工しても良い。さらに具体的に説明すると、容器４の境界部１５をヒートシールなどにより溶着して上部４ｂと下部４ａに区画する。この際、境界部１５の一部分は溶着せずに液体浸透部材９を貫通させて、上部４ｂと下部４ａを液体浸透部材９により連通させ、上部４ｂから揮発性有機物３を浸透させて下部４ａに揮発性有機物３を毛管現象により供給するようにしている。このように構成することにより、容器４の上部４ｂに貯留されている揮発性有機物３が容器上部４ｂに貫通している液体浸透部材９ｂに浸透して容器下部４ａの液体浸透部材９ａに供給される。そして、液体浸透部材９ａから非多孔性膜２ａを介して揮発性有機物３が徐放される。ここで、図６に示すように、容器下部４ａの液体浸透部材９ａは非多孔性膜２ａと接触させるようにして密封する。つまり、液体浸透部材９ａが非多孔性膜２ａによりラミネートされている状態とすることで、容器下側部４ａを薄くすることができる。図６に示す容器４は、例えば、図７に示すような状態で除染対象土壌に埋設する。即ち、容器下側部４ａは土壌に埋設し、容器上側部４ｂは地表に露出しておく。このように埋設することで、揮発性有機物の補充がし易い形態となる。ここで、揮発性有機物は土壌中にだけ徐放されるようにすることが好ましい。したがって、揮発性有機物が貯留している容器上側部４ｂから揮発性有機物を透過させないようにすることが好ましい。具体的には、容器上側部４ｂを揮発性有機物を透過しない素材で覆ったり、あるいは、容器上側部４ｂの素材そのものを揮発性有機物を透過しない素材とすればよい。
【００６７】
尚、図６に示す容器上部４ｂは脱着可能としても良い。例えば、容器上部４ｂに貯留している揮発性有機物３を消費し尽くした場合に、溶着されている境界部１５を切断して上部４ｂを切り離し、容器下部４ａから露出している液体浸透部材９を揮発性有機物３を密封した新しい容器に差し込んで、当該容器を容器下部４ａに接着して用いる所謂カートリッジタイプのような形態にしても良い。
【００６８】
また、図６に示す容器上部４ｂには揮発性有機物の供給口と共に、排出口を設けてもよい。排出口を設けることにより、容器上部４ｂに揮発性有機物を供給する際の圧力損失を減らすことができる。圧力損失を減らすことで、容器上部４ｂに無駄な圧力が掛かることが無くなり、容器下部４ａの液体浸透部材９ａと非多孔性膜２ａの間に揮発性有機物が入り込むことなく、液体浸透部材９に浸透して、揮発性有機物３の供給に好適な形態となる。
【００６９】
ここで、図７に示すように非多孔性膜の表面には微生物を固定し得る担体１７を備えることが好ましい。微生物を固定する担体１７を備えることで、土壌または地下水中に存在する微生物を当該担体１７に固定して環境汚染物質を除去することが可能となる。担体１７としては、微生物を固定し得るものであれば特に限定されないが、例示すると、コラーゲン、フィブリン、アルブミン、カゼイン、セルロースファイバー、セルローストリアセタート、寒天、アルギン酸カルシウム、カラギーナン、アガロース等の天然高分子、ポリアクリルアミド、ポリ−２−ヒドロキシエチルメタクリル酸、ポリビニルクロリド、γ−メチルポリグルタミン酸、ポリスチレン、ポリビニルピロリドン、ポリジメチルアクリルアミド、ポリウレタン、光硬化性樹脂（ポリビニルアルコール誘導体、ポリエチレングリコール誘導体、ポリプロピレングリコール誘導体、ポリブタジエン誘導体等）等の合成高分子、またはこれらの複合体、さらには吸水性ポリマーを用いることも可能である。吸水性ポリマーとしては、一般的に用いられているものを使用することができるが、具体的には、ポリアクリル酸、ポリアスパラギン酸、ポリグルタミン酸やそれらの改変物、ポリエチレングリコール改変物等が挙げられる。尚、ここで言う改変物とは、イオン性基をもつ高分子を前記高分子の一部に架橋させた物である。これらの担体は非多孔性膜表面に直接塗布したり、接着することにより備えることができる。これら担体を非多孔性膜の表面に備えることで、水田等の水分の多い土壌や多雨多湿な気候の土地のように土壌中を流れる地下水の流速が定常的に速い場所や、梅雨の時期などにおける頻繁な降雨等により土壌中を流れる地下水の流速が一時的に速くなるような場合にも、担体に固定した微生物は流され難くなり、環境汚染物質を長期間除去し続けることが可能となる。
【００７０】
ここで、担体１７は袋の表側全面に備えていても揮発性有機物の透過は可能であるが、表側全面に備える必要は無く、例えば適度に孔を設けて微生物処理により発生した窒素ガス等のガスを放出する為の排出口としてもよい。また、吸水性ポリマーを用いた場合には、上記の高分子ゲルを使用した場合と比べ担体の保水力、吸水力が高まるため、地中の水分を効率良く吸収し、保水することによって環境汚染物質を長期間除去し続けることが可能となる。また、降雨量が減って地中の水分が少なくなった場合にも、吸水性ポリマーの保水力により乾燥しにくくなって、微生物の死滅を防ぐことができる。
【００７１】
また、図７に示すように、担体１７の表面には、保護材１６を備えることが好ましい。保護材１６を備えることにより容器４を摩擦などの外部衝撃による損傷から防ぐことが可能となる。保護材１６の材質としては、非多孔性膜２からの揮発性有機物の徐放を阻害しないもの、例えば不織布や繊維状のネット、ナイロンネットなどが挙げられるが、これらに限られるものではなく、揮発性有機物の徐放を阻害してしまう虞があるものでも通気口などを適度に設けることで使用可能である。また、この保護材１６は、担体１７の表面に接着して備えるようにしても良いし、剛性の高い部材により筒状、鞘状に形成した鞘体に挿入するようにしてもよい。
【００７２】
ここで、保護材１６と担体１７はそれぞれ単独で非多孔性膜の表面に備えても良いし、担体１７の表面に保護材１６を積層してもよい。また、保護材１６の上に担体１７を積層することも可能である。どのような積層状態としても、保護材１６と担体１７の機能が失われることがない。尚、微生物を固定する担体１７を単独で用いた場合には、担体が保護材としての役割も果たし、非多孔性膜を外部衝撃などによる損傷から防ぐことができる。さらに、光硬化性樹脂のようにそれ自体強度の高い高分子を筒状、鞘状として鞘体としつつ、微生物をも固定し得る担体として、保護材（鞘体）と担体双方の機能を持たせても良い。
【００７３】
尚、担体１７は上記したものに限られるものではなく、不織布を起毛処理してそこに微生物を直接担持させるようにしてもよいし、あるいは、非多孔性膜２の表面を起毛処理して、微生物を担持させるようにしても良い。
【００７４】
次に、電子供与体供給装置１の他の形態について説明する。前記した袋状の容器４の場合、容器４は全体が非多孔性膜２で構成される袋状を成し、周縁をヒートシールなどで溶着して、揮発性有機物３を浸透させたシート状の液体浸透部材９を密封するようにしている。つまり、揮発性有機物３は非多孔性膜２で構成される容器内に密封されているが、以下に説明する実施形態では、液体浸透部材９を非多孔性膜２により挟持した積層体を形成した上で、当該積層体の周縁部をヒートシールして電子供与体供給装置１を形成するようにしている。尚、ここで言う積層体は、液体浸透部材９と非多孔性膜２の全面あるいは一部が接着あるいは溶着されているものの他、接着あるいは溶着等がされることなく単に液体浸透部材９に非多孔性膜２を重ねただけの積層体も含んでいる。
【００７５】
例えば、図８に示す本発明の電子供与体供給装置は、液体浸透部材９を非多孔性膜２で挟持して積層体を形成した後、当該積層体の周縁部をヒートシールして形成されている。ここで、周縁部のうちの一部はヒートシールせずに揮発性有機物導入部１０として確保しておくことが好ましい。この場合には、揮発性有機物導入部１０に揮発性有機物を接触させると、毛管現象により、液体浸透部材９に揮発性有機物が浸透して供給される。例えば、上述した図８に示す容器上部４ｂを脱着可能としてカートリッジタイプの形態にしたものを接着することにより繋げて、揮発性有機物を供給するようにする。また、周縁部の全体をヒートシールした場合であっても、例えば、揮発性有機物が浸透する領域にノズルなどを差し込んで揮発性有機物を供給することが可能である。尚、予め液体浸透部材９に揮発性有機物３を浸透させた状態で非多孔性膜２と積層体を形成し、当該積層体の周縁部全てをヒートシールして、液体浸透部材９に浸透している揮発性有機物３を密封して用いることも可能である。
【００７６】
この場合の液体浸透部材９としては、非多孔性膜と溶着し得る素材であって、ヒートシールした際に毛管構造が閉塞する素材を用いる。したがって、液体浸透部材９のヒートシール部１３’の毛管構造閉塞部と非多孔性膜２により囲まれた領域の全体に揮発性有機物３が供給されて、周縁部以外の非多孔成膜２の全面から揮発性有機物３を徐放できる。
【００７７】
この場合に用いる液体浸透部材９の具体例としては、例えば、ポリエチレンやポリプロピレンを繊維状にした素材や、ポリエチレンフォーム、ポリウレタンフォーム、塩化ビニールスポンジ、天然ゴムスポンジ、シリコンゴムスポンジ、セルローススポンジが挙げられる。この場合、前記した非多孔性膜の素材と溶着させやすく、特に、非多孔性膜としてポリエチレンやポリプロピレンを用いた場合には、素材の出発原料が同一あるいは類似しており、非常に溶着させやすい。
【００７８】
ここで、非多孔性膜２と液体浸透部材９を溶着させる場合には、以下の方法が好ましい。液体浸透部材９としてポリエチレンの繊維状素材を、非多孔性膜２としてポリエチレンを用いた場合を例に挙げて説明すると、まず、加熱して軟化させたポリエチレンの繊維状素材を非多孔性膜２の表面上に撒く。次に、ポリエチレンの軟化状態が維持されている間に、もう一枚の非多孔性膜２を載せる。これにより、ポリエチレン膜自体を高温加熱することなく、ポリエチレン膜の分子透過性能を保持したまま液体浸透部材９を非多孔性膜２に溶着させて挟持することができる。
【００７９】
ここで、非多孔性膜２と液体浸透部材９は全面で溶着されている場合には、非多孔性膜２と液体浸透部材３に隙間がないので、毛管現象により浸透した揮発性有機物が隙間にしみ出して膨らむの防いで非常に薄くできるので好ましい。しかしながら、非多孔性膜２と液体浸透部材９を必ずしも全面で接触させなければならない訳ではない。例えば、シート上の液体浸透部材と非多孔性膜を全面で溶着することなく、ヒートシールされる周縁部だけで非多孔性膜２と液体浸透部材９とを溶着すると共に、液体浸透部材９の毛管閉塞を行うようにしてもよい。または、液体浸透部材９と非多孔性膜２を全面では無く数カ所だけ溶着あるいは接着しておいて、ヒートシールされる周縁部で非多孔性膜２と液体浸透部材９とを溶着すると共に、液体浸透部材９の毛管構造の閉塞を行うようにしてもよい。
【００８０】
また、図９に示すように、非多孔性膜２の表面に微生物を固定し得る担体１７を積層してから周縁部をヒートシールして一体化してもよい。担体１７としては、微生物や酵素の固定化に用いられている高分子ゲルを使用することができる。具体的には、コラーゲン、フィブリン、アルブミン、カゼイン、セルロースファイバー、セルローストリアセタート、寒天、アルギン酸カルシウム、カラギーナン、アガロース等の天然高分子、ポリアクリルアミド、ポリ−２−ヒドロキシエチルメタクリル酸、ポリビニルクロリド、γ−メチルポリグルタミン酸、ポリスチレン、ポリビニルピロリドン、ポリジメチルアクリルアミド、ポリウレタン、光硬化性樹脂（ポリビニルアルコール誘導体、ポリエチレングリコール誘導体、ポリプロピレングリコール誘導体、ポリブタジエン誘導体等）等の合成高分子、またはこれらの複合体が挙げられる。
【００８１】
尚、担体１７としては吸水性ポリマーを用いることが好ましい。吸水性ポリマーを用いることで、担体の保水力、吸水力が高まるので、微生物を良好な状態で担持させて目的とする成分の除去を効率よく行うことが可能となる。ここで、吸水性ポリマーとしては一般的に用いられているものを使用することができるが、具体的には、ポリアクリル酸、ポリアスパラギン酸、ポリグルタミン酸やそれらの改変物、ポリエチレングリコール改変物等が挙げられる。尚、ここで言う改変物とは、イオン性基をもつ高分子を前記高分子の一部に架橋させた物である。
【００８２】
このように、予め非多孔性膜２の表面に担体１７を備えることにより、微生物を担体に固定することが可能となる。したがって、土壌または地下水中の微生物を担体１７に固定することが可能となる。
【００８３】
また、図９に示すように、担体１７の表面にはさらに保護材１６を設けても良い。この場合には、電子供与体供給装置１が外部衝撃から保護されると共に、補強材としても機能し、電子供与体供給装置１が大型化に伴って自重が増加した場合に、自重により装置破損が生じるのを防ぐことが可能である。尚、担体１７を備えずに保護材１６を単独で備えた場合であっても、電子供与体供給装置１の外部衝撃からの保護および補強材としての機能が発揮される。
【００８４】
上述した方法によれば、積層体の周縁部をヒートシールするだけで揮発性有機物が浸透する密閉領域を形成することができるので、その作製が非常に容易であり、微生物への電子供与体供給装置を作製する手間やコストが大幅に削減できる。また、非多孔性膜の表面に微生物を担持し得る担体１７や積層体を外部衝撃から保護する保護材１６をさらに備えている場合でも、積層体の周縁部を担体や保護材全てをまとめてヒートシールすることで、容易にに多層構造体を形成できる。したがって、多層構造体を大面積且つ薄く形成しておけば、大型で薄い装置の作製も容易となる。
【００８５】
次に、上述した微生物への電子供与体供給装置を除染対象土壌に埋設して環境汚染物質を除去することにより土壌浄化をおこなう方法について、土壌に電子供与体供給装置を埋設して窒素化合物（硝酸イオン、亜硝酸イオン、アンモニア）を除去することにより土壌を浄化する場合を例に挙げて説明する。また、以下では、図６に示した電子供与体供給装置、即ち、電子供与体供給装置１の容器４を上側部４ｂと下側部４ａに区画すると共に上側部４ｂと下側部４ａとを液体浸透部材９により連通し、上側部４ｂに揮発性有機物３を貯留するように予め加工されたものの、容器下側部４ａを土壌に埋設し、容器上側部４ｂに揮発性有機物３を貯留して用いるタイプの電子供与体供給装置を例に挙げて説明する。尚、図１〜図５、図７〜図９に示したタイプの電子供与体供給装置を用いることも勿論可能である。
【００８６】
図１０に示す本発明の土壌浄化方法においては、容器上側部４ｂに設けられた揮発性有機物３を充填する開閉可能な供給口５から、随意にあるいは定期的に揮発性有機物３を供給する。土壌に埋設された容器下側部４ａの非多孔性膜からは電子供与体である揮発性有機物３が非多孔性膜２を介して徐放され、容器下側部４ａの近傍に存在する土壌微生物のうちの電子供与体を必要とする微生物、例えば脱窒菌１３を活性化させることができる。したがって、容器下側部４ａの近傍に存在する硝酸イオン１４や亜硝酸イオン１４’が効率よく無害な窒素ガス１５に変換される。つまり、本発明の電子供与体供給装置を土壌に埋設することにより、その近傍に存在する土壌微生物のうちの電子供与体を必要とする微生物を選択的に活性化させて機能させて、環境汚染物質を除去することができる。
【００８７】
ここで、埋設した電子供与体供給装置１の近傍が好気性雰囲気のために嫌気性微生物を活性化することができない場合には、図１１に示すように、非多孔性膜２を一部に有する密封構造の容器４の中に酸素吸収物質２１と液体浸透部材９を収容した酸素吸収装置２５を、電子供与体供給装置１の近傍の嫌気性雰囲気を必要とする位置に埋設すればよい。酸素吸収物質２１としては、酸素を吸収でき、非多孔性膜２を腐食しないものであれば特に限られるものではないが、還元剤を入れた溶液、例えば亜硫酸ナトリウム溶液などを用いることができる。また、還元鉄のような固体還元剤を用いることもでき、この場合には液体浸透部材９を容器内に収容する必要はない。このように非多孔性膜２を一部に有する密封構造の容器中に酸素吸収物質２１を充填した酸素吸収装置２５を埋設することで、好気性雰囲気になりやすい地表付近や、酸素を多く含む水が常時流れ込むあるいは浸透してくる場所を長期に渡って嫌気化することができ、嫌気性微生物を好ましい環境下で活性化することが可能となる。尚、酸素吸収装置２５も上述した電子供与体供給装置１と同様の形態で使用することが可能である。即ち、袋状にして、保護材（鞘体）や担体を備えることも可能である。
【００８８】
ここで、土壌の内部、特に深層部は、嫌気性雰囲気である場合が多いため、土壌に存在する好気性微生物を機能させるためには、例えば、配管から空気を導入する方法などを採用して土壌中を曝気処理する必要があるが、非多孔性膜２により構成された酸素供給装置２０を用いることにより、酸素を供給して好気性微生物を機能させることが好ましい。非多孔性膜２としては、前述したものと同様の材料を使用することが可能である。非多孔性膜２を用いて酸素を供給するためには、非多孔性膜２を一部に備えるようにした密封構造の容器内に空気あるいは酸素を充填しても良いし、容器内に二酸化マンガン（ＭｎＯ２）あるいは過マンガン酸カリウム（ＫＭｎＯ４）等の酸素生成触媒を入れておき、容器には開閉可能な供給口５を備え、過酸化水素を容器内に供給することで酸素を容器内で生成して、容器周辺に酸素を徐放することが可能である。また、酸素生成触媒を用いずに過酸化水素水のみを容器内に供給しても、容器周辺に酸素を徐放することが可能である。図１２に示す酸素供給装置２０は、酸素放出物質２２として過酸化水素水と液体浸透部材９を非多孔性膜２を一部に備えるようにした密封構造の容器内に収容するようにしている。尚、容器内に供給された過酸化水素水は酸素の生成に伴って徐々に低濃度となり、最終的には水となって、酸素の生成が起こらなくなる。この場合には、過酸化水素水を容器内に添加して容器内の残留水と混合することにより再び酸素が生成されるようにしても良いし、容器内の残留水を一度抜き取ってから過酸化水素水を容器内に供給するようにしても良い。
【００８９】
酸素供給装置２０における非多孔性膜としては、電子供与体供給装置１の場合と同様の膜材を用いることができ、酸素供給装置２０から透過する酸素の量は、非多孔性膜の材料や膜厚、膜密度などの選択によって、必要とする酸素量となるように制御される。
【００９０】
図１２に示すように、土壌に存在するアンモニア２４をアンモニア酸化菌２３により亜硝酸イオン１４’に変換させ、アンモニア酸化菌により生成された亜硝酸イオン１４’と土壌に存在する硝酸イオン１４や亜硝酸イオン１４’を脱窒菌１３に除去させて窒素ガス１５に変換するアンモニア、硝酸イオン及び亜硝酸イオンを無害化する一連の系が地中に形成されることになる。土壌には、化学肥料や家畜糞尿由来の硝酸イオン１４や亜硝酸イオン１４’、アンモニア２４が含まれているが、このようにして酸素２２を供給することにより、アンモニア２４をアンモニア酸化菌２３により亜硝酸イオン１４’に酸化することができる。
【００９１】
酸素供給装置２０は、上述した電子供与体供給装置１と同様の形態で使用することが可能である。即ち、袋状にして、保護材（鞘体）や担体を備えることも可能である。
【００９２】
酸素供給装置２０と電子供与体供給装置１の土壌への埋設の仕方は、酸素供給装置２０を、電子供与体供給装置１の近傍に酸素２２が供給されない位置であって、酸素供給装置２０の近傍に存在する好気性微生物が活性化されて産生される物質が電子供与体供給装置１の近傍の微生物に供給される位置に埋設するようにすれば特に限定されない。つまり、アンモニア酸化菌２３が生成する亜硝酸イオンや、亜硝酸酸化菌が生成する硝酸イオンを脱窒菌１３により除去できるようにすればよい。例えば、埋設したい場所に達する数十ｃｍ程度の深さの穴あるいは溝を掘り、その中に当該袋を敷き詰めて、土をかけて土壌で使用することで、当該袋が埋設された土壌からアンモニアや亜硝酸イオン、硝酸イオンを除去して、無害な窒素ガスに変換できる。使用場所としては、化学肥料を頻繁に用いるような農地や、家畜糞尿の廃棄場等、アンモニアや亜硝酸イオン、硝酸イオンが土壌に多く含まれているような場所が挙げられる。このような方法により、土壌等からアンモニアや亜硝酸イオン、硝酸イオンを除去することで、化学肥料の過剰施肥により硝酸性窒素汚染が進んでいる土壌の改良を行うことができる。
【００９３】
また、地下水に含まれるアンモニア（アンモニウムイオン）や硝酸イオン、亜硝酸イオンも前述した土壌浄化方法と同様の方法で除去可能である。ここで、地下水とは、土壌に含まれている水と、土壌の浸透能を超えて地中に存在している水の双方を含んでいる。
【００９４】
以上、電子供与体供給装置を利用した本発明の土壌浄化方法によれば、土壌に存在する微生物や土壌に添加した微生物を活性化させて土壌から環境汚染物質を除去するバイオレメディエーションを簡易に低コストに行うことができ、また、揮発性有機物をエネルギー源として環境汚染物質を除去する様々な場面で適用することが可能である。
【００９５】
例えば、土壌中に投棄された産業廃棄物の近傍に、本発明の電子供与体供給装置を埋設して、土壌または地下水中の微生物に電子供与体を緩やかに供給し、産業廃棄物から放出される環境汚染物質を分解処理すると共に環境汚染物質の拡散を防いで土壌浄化を行うことが可能である。
【００９６】
また、環境汚染物質である重金属により汚染されている土壌に、本発明の電子供与体供給装置を埋設し、土壌または地下水中の微生物に電子供与体を緩やかに供給して、重金属を無害化処理することが可能である。  
【００９７】
また、六価クロムの還元して３価クロムとして無害化する微生物であるShwanella、Pseudomonas、Sulfate reducing bacteria、Arthrobacter、Bacillus、Aerococcus、Micrococcus、Aeromonas、Thermoanaerobacter、Cellulomonas、Geobacter、Streptomyces、Escherichia、Enterobacterなどのクロム還元菌や、銀、銅、水銀、ヨウ素、亜ヒ酸、ニッケル、カドミウムなどを還元したり、水に不溶な状態にすることで無害化することができる微生物に本発明の電子供与体供給装置を用いることが可能である。つまり、土壌に棲息しているこれらの微生物、あるいは土壌にこれらの微生物を添加して、土壌中に本発明の電子供与体供給装置を埋設することにより、これらの微生物に電子供与体を緩やかに供給して、土壌中の重金属が地下水中等に溶出しないようにすることが可能である。
【００９８】
このように、本発明によれば、硝酸、産業廃棄物、重金属などに汚染された土壌や地下水を簡易且つ低コストに浄化することができ、浄化後の土壌を例えば農地などとして利用することが可能となる。
【００９９】
なお、上述の形態は本発明の好適な形態の一例ではあるがこれに限定されるものではなく本発明の要旨を逸脱しない範囲において種々変形実施可能である。例えば、本発明の土壌浄化方法は、土壌などの原位置の土壌浄化に限られず、掘削した土の浄化にも用いることが可能である。また、利用したい微生物が土壌中にほとんど棲息していない場合には、所望の微生物を土壌に添加したり、あるいは担体１７に所望の微生物を固定して土壌浄化を行っても良い。
【実施例】
【０１００】
（実施例１）
ポリエチレン膜を用いて袋を形成し、その中にメタノール、エタノールを密封した場合の有機物の透過量を測定して、本発明の電子供与体供給装置の有効性について確認した。
厚さ０．０５ｍｍ、０．１ｍｍ、０．３ｍｍ、０．５ｍｍのポリエチレン膜（商品名：ミポロンフィルム、ミツワ（株）製）中にメタノール（和光純薬工業製、９９．８％）、エタノール（和光純薬工業製、９９．５％）を密封して袋状とし、これを水中に浸漬し、経過日数に対して分子透過量をＴＯＣ濃度を測定することによりメタノールおよびエタノールの透過量を評価した。ＴＯＣ濃度は燃焼−赤外線式全有機炭素分析計（ＴＯＣ−６５０、東レエンジニアリング性）により測定した。この結果を図１３の（Ａ）並びに（Ｂ）に示す。図中において、Ｂはバックグラウンド、ＭｅＯＨはメタノール、ＥｔＯＨはエタノール、０．０５、０．１、０．３、０．５等の数値はポリエチレン膜厚（単位；ｍｍ）を表している。この実験から、メタノール、エタノール共に、ポリエチレン膜厚が薄くなるにつれて、ＴＯＣ濃度も増加していくことから、ポリエチレン膜の膜厚により、電子供与体供給量の制御が可能であることが確認された。したがって、この原理を利用することにより、メタノールやエタノールなどの揮発性有機物を濾紙等の液体浸透部材に浸透させてからポリエチレン膜などの非多孔性膜に密封して用いることで、非多孔性膜の全面から均一且つ緩やかに徐放することが可能である。
【図面の簡単な説明】
【０１０１】
【図１】本発明の電子供与体供給装置の一実施形態である密封タイプ（ラミネート）の例を示す図で、(Ａ）は斜視図、（Ｂ）は縦断面図である。
【図２】本発明の土壌浄化方法に用いられる電子供与体供給装置の一実施形態であるチューブ状の密封タイプのものを、土壌に差し込んで使用する場合の図である。
【図３】本発明の土壌浄化方法に用いられる電子供与体供給装置の一実施形態である液体浸透部材と非多孔性膜が接触していない密封タイプの例を示す縦断面図である。
【図４】本発明の土壌浄化方法に用いられる電子供与体供給制御装置の他の実施形態である補充タイプの例を示す縦断面図である。
【図５】図４の実施形態の電子供与体供給制御装置の全体構成を示す概略説明図である。
【図６】本発明の土壌浄化方法に用いられる電子供与体供給装置を予め加工して好適な形態とした場合の斜視図である。
【図７】図６の電子供与体供給装置を土壌に埋設して使用する場合を示す図である。
【図８】本発明の土壌浄化方法に用いられる電子供与体供給装置の好適な形態の例を示す図で、液体浸透部材を非多孔性膜で挟持して積層体を形成した後に周縁部をヒートシールして形成した場合の図で、(Ａ）は斜視図、（Ｂ）は縦断面図である。
【図９】図８の電子供与体供給装置の非多孔性膜の表面に担体と保護材を備えた例を示す図である。
【図１０】土壌に電子供与体供給装置を埋設して使用する形態を示す図である。
【図１１】土壌に電子供与体供給装置と共に酸素吸収装置を埋設して使用する形態を示す図である。
【図１２】土壌に電子供与体供給装置と共に酸素供給装置を埋設して使用する形態を示す図である。
【図１３】ポリエチレン膜からの有機物の透過量測定結果を示す図で、（Ａ）はメタノール、（Ｂ）はエタノールのそれぞれの測定結果を示す。
【符号の説明】
【０１０２】
１  電子供与体供給装置
２  非多孔性膜
３  揮発性有機物
４  容器
５  供給口
６  揮発性有機物貯留タンク
７  供給ノズル
８  チューブ
９  液体浸透部材
１２  電子供与体供給装置用ポケット
１６  保護材
１７  担体
２０  酸素供給装置
２１  酸素吸収物質
２２  酸素
２５  酸素吸収装置
【図１】
2008246269.tif 000003
【図２】
2008246269.tif 000004
【図３】
2008246269.tif 000005
【図４】
2008246269.tif 000006
【図５】
2008246269.tif 000007
【図６】
2008246269.tif 000008
【図７】
2008246269.tif 000009
【図８】
2008246269.tif 000010
【図９】
2008246269.tif 000011
【図１０】
2008246269.tif 000012
【図１１】
2008246269.tif 000013
【図１２】
2008246269.tif 000014
【図１３】
2008246269.tif 000015